(57)【要約】      （修正有）【課題】血管カフが大きい容積で構成されるか、小さい容積で構成されるかを自動的に判定する半自動式血圧計装置を提供すること。【解決手段】半自動式血圧計装置は、血管カフ１０８と流体流れ連通したポンプと、第１の複数の時間に対する第１の複数のカフ圧力、および第２の複数の時間に対する第２の複数のカフ圧力を検知するための圧力検知器と動作連通したプロセッサとを含む。プロセッサは、血管カフの再膨張の前、部分的に膨張した血管カフを含む膨張サイクル中の任意の段階で、第１の複数のカフ圧力に基づく第１の平均のカフ圧力、および第２の複数のカフ圧力に基づく第２の平均のカフ圧力を算出し、第１の平均のカフ圧力を第２の平均のカフ圧力から引き、血管カフが大きい容積で構成されるか、小さい容積で構成されるかを判定するために境界値に対して比較される勾配値を決定する。【選択図】図１
2018015506.tif 000002
【特許請求の範囲】
【請求項１】
空気圧を発生させるポンプに動作接続したモータと；
前記モータの動作を作動および終了するために前記モータと動作接続した膨張ボタンと；
前記ポンプが発生させた空気圧を解放する空気圧解放トリガと；
前記ポンプと流体流れ連通した空気出口と；
前記空気出口と流体流れ連通した第１の端部を有する中空管と；
膨張可能なカフであって、前記ポンプから該膨張可能なカフへ空気圧を供給するために前記中空管と流体流れ連通した膨張可能なカフと；
前記ポンプが前記膨張可能なカフに発生させた空気圧の程度を検知するために、前記ポンプと動作連通した圧力センサと；
前記ポンプが前記膨張可能なカフに発生させた前記空気圧を示すデータを受け取るために、前記圧力センサと動作連通したプロセッサであって、前記膨張可能なカフを再膨張させる前に、前記圧力センサが第１の組の所定の時間に対して検知した第１の平均のカフ圧力（Ｐ２）と、前記圧力センサが第２の組の所定の時間に対して検知した第２の平均のカフ圧力（Ｐ３）との間の勾配値が境界値より大きいかまたは小さいかの該プロセッサの判定に基づき、前記膨張可能なカフが大きい容積または小さい容積を有して構成されているかを判定するように動作可能であり、前記勾配値Ｐ３−Ｐ２が前記境界値より小さい場合には、前記膨張可能なカフが大きい容積を有すると判定し、前記勾配値Ｐ３−Ｐ２が前記境界値より大きい場合には、前記膨張可能なカフが小さい容積を有すると判定する前記プロセッサと
を含む半自動式血圧計装置。
【請求項２】
前記プロセッサは、前記大きい容積を有して構成される前記膨張可能なカフに対するＰ３−Ｐ２と、前記小さい容積を有して構成される前記膨張可能なカフに対するＰ３−Ｐ２との間の勾配値に基づいて境界値を算出する、請求項１に記載の半自動式血圧計装置。
【請求項３】
前記境界値は、前記膨張可能なカフに加えられる特定の空気圧について、前記大きい容積を有して構成される前記膨張可能なカフに対するＰ３−Ｐ２より整数２だけ大きい値を含む、請求項１に記載の半自動式血圧計装置。
【請求項４】
前記プロセッサは、前記膨張可能なカフに加えられるそれぞれの空気圧についてＰ３−Ｐ２によって定義されるそれぞれの境界値を決定するデータベースと動作連通する、請求項１に記載の半自動式血圧計装置。
【請求項５】
前記膨張可能なカフの前記それぞれの空気圧の範囲は、前記膨張可能なカフの再膨張の前に０ｍｍＨｇ〜２００ｍｍＨｇの間である、請求項４に記載の半自動式血圧計装置。
【請求項６】
前記プロセッサによって算出される前記境界値は、値７未満の任意の境界値が、前記プロセッサによって前記大きい容積で構成される前記膨張可能なカフであると判定され、値７を超える任意の境界値が、前記プロセッサによって前記小さい容積で構成される前記膨張可能なカフであると判定されるように、Ｐ３−Ｐ２によって定義される勾配を定めるものである、請求項１に記載の半自動式血圧計装置。
【請求項７】
前記プロセッサは、前記膨張可能なカフが大きい容積または小さい容積で構成されるかどうかの前記プロセッサの判定に基づく空気圧の量を前記膨張可能なカフ内に発生させるように前記ポンプに命令する、請求項１に記載の半自動式血圧計装置。
【請求項８】
前記圧力センサによって検知された９０ｍｍＨｇ以上の空気圧に対するＰ３−Ｐ２の任意の勾配値は、前記プロセッサに、前記膨張可能なカフが前記膨張可能なカフの最後に判定された構成であると判定することを要求するものである、請求項１に記載の半自動式血圧計装置。
【請求項９】
前記プロセッサと動作連通したデータベースであって、前記膨張可能なカフについて前記圧力センサによって検知されたそれぞれの空気圧ごとの境界値を含む前記データベースをさらに含む、請求項１に記載の半自動式血圧計装置。
【請求項１０】
膨張可能なカフの大きさを判定する方法であって：
血圧計装置を提供するステップであって、前記血圧計装置が：
空気圧を発生させるポンプに動作接続したモータ；
前記モータの動作を作動および終了するために前記モータと動作接続した膨張ボタン；
前記ポンプが発生させた空気圧を解放する空気圧解放トリガ；
前記ポンプと流体流れ連通した空気出口；
前記空気出口と流体流れ連通した第１の端部を有する中空管；
膨張可能なカフであって、前記ポンプから該膨張可能なカフへ空気圧を供給するために前記中空管と流体流れ連通した膨張可能なカフ；
前記ポンプが前記膨張可能なカフに発生させた空気圧の程度を検知するために、前記ポンプと動作連通した圧力センサ；ならびに
前記ポンプが前記膨張可能なカフに発生させた前記空気圧を示すデータを受け取るために、前記圧力センサと動作連通したプロセッサ
を含む、ステップと；
前記圧力センサによって、前記膨張可能なカフの第１のカフ圧力を検知するステップと；
前記プロセッサによって、前記第１のカフ圧力が所定の基準圧力値より小さいかどうかを判定するステップと；
前記圧力センサによってそれぞれの第１の組の所定の時間における第１の複数のカフ圧力を検知し、前記プロセッサが前記第１のカフ圧力が前記所定の基準値より小さいと判定した場合、前記第１の複数のカフ圧力に基づいて、前記プロセッサによって第１の平均のカフ圧力値を算出するステップと；
前記圧力センサによってそれぞれの第２の組の所定の時間における第２の複数のカフ圧力を決定し、前記第２の複数の時間に基づいて、前記プロセッサによって第２の平均のカフ圧力値を算出するステップと；
前記第１の平均のカフ圧力値を前記第２の平均のカフ圧力値から引き、前記膨張可能なカフに対する勾配値を決定するステップと；
前記プロセッサによって前記勾配値が境界値より大きいかまたは小さいかを判定するステップであって、前記勾配値が前記境界値より小さい場合、前記プロセッサは前記膨張可能なカフが大きい容積で構成されていると判定する、ステップと
を含む方法。
【請求項１１】
前記プロセッサは、前記勾配値が前記境界値より大きいと計算した場合、前記膨張可能なカフが小さい容積で構成されていると判定する、請求項１０に記載の方法。
【請求項１２】
前記ポンプが前記膨張可能なカフに発生させた前記空気圧を示すデータを受け取るステップであって、前記プロセッサは、前記膨張可能なカフを再膨張させる前に、前記圧力センサが第１の組の所定の時間に対して検知した第１の平均のカフ圧力と、前記圧力センサが第２の組の所定の時間に対して検知した第２の平均のカフ圧力（Ｐ３）との間の差が前記境界値より大きいかまたは小さいかの前記プロセッサの判定に基づき、前記膨張可能なカフが大きい容積または小さい容積を有して構成されているかを判定する、ステップ
をさらに含む請求項１０に記載の方法。
【請求項１３】
前記圧力センサが前記第１の複数の圧力および前記第２の複数の圧力をそれぞれ検知するとき、前記第１の組の所定の時間は、前記第２の組の所定の時間の前である、請求項１０に記載の方法。
【請求項１４】
前記第１のカフ圧力が前記所定の基準圧力値より大きい場合、前記プロセッサは、前記膨張可能なカフが大きい容積または小さい容積で構成されているかに関する前記プロセッサによる以前の判定に基づき、前記膨張可能なカフが大きい容積または小さい容積かを判定する、請求項１０に記載の方法。
【請求項１５】
前記所定の基準圧力値は６５ｍｍＨｇ〜７５ｍｍＨｇの間の範囲内である、請求項１０に記載の方法。
【請求項１６】
前記所定の基準圧力値は６０ｍｍＨｇ〜１００ｍｍＨｇの間の範囲内である、請求項１０に記載の方法。
【請求項１７】
前記膨張可能なカフが大きい容積または小さい容積で構成されるかの前記プロセッサによる前記判定に基づき、前記膨張可能なカフを再膨張させるステップ
をさらに含む請求項１０に記載の方法。
【請求項１８】
膨張可能なカフの大きさを判定する方法であって：
膨張可能なカフの第１のカフ圧力を検知するステップと；
前記第１のカフ圧力が所定の基準圧力値より小さいかどうかを判定するステップと；
それぞれの第１の組の時間に第１の複数のカフ圧力を検知し、前記第１のカフ圧力が前記所定の基準値より小さい場合、前記第１の複数のカフ圧力に基づいて第１の平均のカフ圧力値を算出するステップと；
それぞれの第２の組の所定の時間に第２の複数のカフ圧力を判定し、前記第２の組の所定の時間に基づいて第２の平均のカフ圧力値を算出するステップと；
前記第１の平均のカフ圧力値を前記第２の平均のカフ圧力値から引き、前記膨張可能なカフに対する勾配値を決定するステップと；
前記プロセッサによって前記勾配値が境界値より大きいかまたは小さいかを判定するステップであって、前記勾配値が前記境界値より小さい場合、前記膨張可能なカフが大きい容積で構成されているという判定が行われるステップと
を含む方法。
【請求項１９】
前記勾配値が前記境界値より大きい場合、前記膨張可能なカフが小さい容積で構成されているという判定が行われる、請求項１８に記載の方法。
【請求項２０】
前記第１の組の所定の時間は、前記第２の組の所定の時間の前である、請求項１８に記載の方法。
【発明の詳細な説明】
【技術分野】
【０００１】
本文書は、血圧計（sphygmomanometer）に関し、特に再膨張の前に血圧計に取り付けられた血管カフ（vascular cuff）の大きさを自動的に判定する血圧計に関する。
【背景技術】
【０００２】
血圧計は、動脈内の血圧を測定するために血管カフおよび聴診器と共に用いられるデバイスである。通常、手動式血圧計が血管カフに接続され、血管カフは、個人の腕（または必要に応じて他の場所）に巻き付けられ、次いで、血液の流れを抑制するように膨張される。血管カフは、可撓性のある球状部と連通する中空管に接続され、専門家が手動で球状部に空気を注入して血管カフを膨張させる。さらに、中空管と可撓性のある球状体との間にバルブおよびインジケータゲージ装置が置かれ、血管カフによって加えられる圧力の視覚的な表示を行い、血管カフの空気圧の流れを制御する。聴診器またはドップラープローブ（Doppler probe）が、個人の肘に近い上腕の内側（または必要に応じて他の場所）にある個人の上腕の脈拍の上に当てられ、次いでバルブが締められた後、血管カフがインジケータゲージに示されるある特定の圧力、たとえば２００ｍｍＨｇに達するまで、可撓性のある球状体に繰り返し空気が注入される。次いで、バルブまたは空気解放トリガ（air release trigger）などの他の実施形態を緩めることによって、血管カフをゆっくりと収縮させる。専門家は、空気圧の降下を注視しながら、聴診器またはドップラープローブを用いて、収縮期血圧を示す個人の心拍動または脈拍の最初の可聴音がいつ最初に聞こえるか耳を傾ける。収縮期血圧が決まると、バルブを完全に開くことができ、残りの空気を血管カフから出す。血管カフの空気が完全に抜かれると、血圧計は、個人に取り付けられた血管カフの大きさを自動的に検知することができる。しかしながら、多くの場合、血管カフは、空気が完全に抜かれず、依然として部分的に膨張している可能性がある。そのように血管カフが依然として部分的に膨張している場合、血圧計が血管カフの大きさを自動的に判定することは難しく、そのため手動による介入が必要になる。
【発明の概要】
【発明が解決しようとする課題】
【０００３】
したがって、血管カフの再膨張の前に、空気が完全に抜かれたまたは部分的に膨張している、取り付けられた血管カフの大きさを自動的に判定する血圧計が求められている。
【課題を解決するための手段】
【０００４】
本発明の一態様は、空気圧を発生させるためのポンプに動作接続したモータと；前記モータの動作を作動および終了するために前記モータと動作接続した膨張ボタンと；前記ポンプが発生させた空気圧を解放するための空気圧解放トリガと；前記ポンプと流体流れ連通した空気出口と；前記空気出口と流体流れ連通した第１の端部を有する中空管と；膨張可能なカフであって、前記ポンプから該膨張可能なカフへ空気圧を供給するために前記中空管と流体流れ連通した膨張可能なカフと；前記ポンプが前記膨張可能なカフに発生させた空気圧の程度を検知するために、前記ポンプと動作連通した圧力センサと；前記ポンプが前記膨張可能なカフに発生させた前記空気圧を示すデータを受け取るために、前記圧力センサと動作連通したプロセッサであって、前記膨張可能なカフを再膨張させる前に、前記圧力センサが第１の組の所定の時間に対して検知した第１の平均のカフ圧力（Ｐ２）と、前記圧力センサが第２の組の所定の時間に対して検知した第２の平均のカフ圧力（Ｐ３）との間の勾配値が境界値より大きいかまたは小さいかの該プロセッサの判定に基づき、前記膨張可能なカフが大きい容積を有して構成されるか、小さい容積を有して構成されるかを判定するように動作可能であり、前記勾配値Ｐ３−Ｐ２が前記境界値より小さい場合には、前記膨張可能なカフが大きい容積を有すると判定し、前記勾配値Ｐ３−Ｐ２が前記境界値より大きい場合には、前記膨張可能なカフが小さい容積を有すると判定する、プロセッサとを含む半自動式血圧計装置を提供する。
【図面の簡単な説明】
【０００５】
【図１】本開示の態様による、血圧計装置、血管カフおよび中空管を示す半自動式血圧計システムの斜視図である。
【図２】本開示の態様による図１の半自動式血圧計システムの簡易化したブロック線図である。
【図３】本開示の態様による図１の血圧計装置の斜視図である。
【図４】本開示の態様による図１の血圧計装置の正面図である。
【図５】本開示の態様による血圧計装置および関連する補助器具の斜視図である。
【図６】本開示の態様による、図５の線６−６に沿って得られる血圧計装置の断面図である。
【図７】本開示の態様による、血管カフが大型の血管カフか小型の血管カフかを判定するための１つの方法を示す流れ図である。
【図８】本開示の態様による、大型の血管カフと小型の血管カフを区別するための境界値の決定を示すグラフである。
【発明を実施するための形態】
【０００６】
図面の図中、対応する参照記号は対応する要素を示す。図に用いられる項目は、特許請求の範囲の範囲を限定するものではない。
【０００７】
専門家が個人の血圧を監視しながら血管カフの膨張を手動で終わらせることを含む、血管カフが半自動式に膨張するように動作可能な半自動式血圧計システムの様々な実施形態が開示される。一態様において、血圧計システムは、血管カフの再膨張の前、部分的に膨張した血管カフを含む膨張サイクル中の任意の段階で、個人に取り付けられた血管カフの大きさを自動的に検知する方法を提供する。膨張していない（たとえば０ｍｍＨｇ）状態で様々な大きさのカフを区別する血圧計と異なり、血圧を検知する聴診的方法は、部分的に膨張した状態の様々な大きさのカフを区別する必要がある場合がある。初期の膨張の勾配を様々な大きさの血管カフの既知のライブラリと比較することは、膨張していない状態（０ｍｍＨｇ）から膨張させるときのみ有効である。しかしながら、２００ｍｍＨｇなど既に上昇した圧力レベルにおける血管カフの再膨張中に、妥当な血管カフの大きさを判定するには有効ではない。別の態様において、血圧計システムはプロセッサを含み、プロセッサは、血管カフの大きさを判定するアルゴリズムによるプロセスを利用し、血管カフに加えられた任意の圧力において正確な血管カフの大きさを適切に検知および選択する。図面を参照すると、半自動式血圧計システムの一実施形態が示され、図１〜８では全体として１００で示されている。図１および２に示すように、いくつかの実施形態において、半自動式血圧計システム１００は、中空管１０６によって血管カフ１０８に接続された血圧計装置１０２を含むことができ、血圧計装置１０２は、血管カフ１０８の半自動的な膨張、および専門家による血管カフ１０８の手動での膨張の終了を可能にする。
【０００８】
さらに図２に示すように、いくつかの実施形態において、半自動式血圧計システム１００は、Ｔ字コネクタ１２０を通じて空気の流れを発生させるための回転ポンプ１１２に動作接続したモータ１１４を含むことができる。Ｔ字コネクタ１２０は、回転ポンプ１１２から加圧空気を受け取り、加圧空気を２つの別個の空気の経路、つまり、加圧空気を空気圧の量を示すインジケータゲージ１０４、バルブ１１６および血管カフ１０８へ供給する第１の経路と、加圧空気を圧力センサ１２３へ供給する第２の経路とに分ける。
【０００９】
圧力センサ１２３は、マイクロプロセッサ１１５を有するプリント回路基板１２７と動作連通（operative communication）し、マイクロプロセッサ１１５は、血圧計装置１０２内に配設され、データベース１１９と動作連通する。マイクロプロセッサ１１５は、プリント回路基板１２７への配置に適した任意のタイプのプロセッサとすることができ、血管カフ１０８を回転ポンプ１１２からの加圧空気によって膨張させるとき、空気圧のデータを圧力センサ１２３から受け取るように動作可能である。一実施形態において、マイクロプロセッサ１１５は、血圧計装置１０２に接続された血管カフ１０８の大きさを自動的に判定することができる。特に一態様において、マイクロプロセッサ１１５は、以下に論じる動作方法に基づいて、血管カフ１０８が膨張していない状態か部分的に膨張している状態かにかかわらず、マイクロプロセッサ１１５が圧力センサ１２３から受け取って処理したデータを基に、血管カフ１０８が小型の血管カフか大型の血管カフかを判定することが可能である。いくつかの実施形態において、小型の血管カフは、約１０ｃｍ３の大きさを有することができ、大型の血管カフは、約３００ｃｍ３の大きさを有することができる。
【００１０】
図７を参照すると、血管カフ１０８が小型の血管カフか大型の血管カフかを自動的に判定するための１つの方法が示されている。ブロック２００では、圧力センサ１２３が、血管カフ１０８から時間Ｔ１（マイクロ秒単位の時間）におけるカフ圧力Ｐ１を検知する。判定ポイント２０２では、マイクロプロセッサ１１５が、カフ圧力Ｐ１が所定の基準圧力値、たとえば７０ｍｍＨｇより小さいかどうか、またはカフ圧力Ｐ１が所定の基準圧力値より大きいかどうかを判定する。いくつかの実施形態では、所定の基準圧力値は、６０ｍｍＨｇ〜１００ｍｍＨｇの間の範囲とすることができるが、いくつかの実施形態では、所定の基準圧力値は、６５ｍｍＨｇ〜７５ｍｍＨｇの間の範囲とすることができる。判定ポイント２０２でカフ圧力Ｐ１が所定の基準圧力値より小さい場合には、マイクロプロセッサ１１５は、ブロック２０４において、圧力センサ１２３に、それぞれの第１の組の所定の時間に血管カフ１０８から第１の複数のカフ圧力を検知するように命令する。たとえば、いくつかの実施形態において、圧力センサ１２３は、後続の所定の時間Ｔ２、Ｔ３、Ｔ４、Ｔ５およびＴ６（マイクロ秒単位の時間）に、血管カフ１０８から５つのカフ圧力を検知することができる。次いでブロック２０６において、マイクロプロセッサ１１５は、それぞれの第１の組の所定の時間に得られた第１の複数のカフ圧力から平均のカフ圧力Ｐ２を算出し、平均のカフ圧力Ｐ２をデータベース１１９に格納する。ブロック２０８において、マイクロプロセッサ１１５は、圧力センサ１２３に、それぞれの第２の組の所定の時間に血管カフ１０８から第２の複数のカフ圧力を検知するように命令するが、第２の組の所定の時間は、第１の組の所定の時間の後に得られる。たとえば、いくつかの実施形態において、圧力センサ１２３は、時間Ｔ２、Ｔ３、Ｔ４、Ｔ５およびＴ６における第１の複数のカフ圧力の後に得られる時間Ｔ７、Ｔ８、Ｔ９、Ｔ１０およびＴ１１（マイクロ秒単位の時間）に、血管カフ１０８から第２の複数のカフ圧力を検知することができる。ブロック２１０において、マイクロプロセッサ１１５は、それぞれの第２の組の所定の時間に得られた第２の複数のカフ圧力から平均のカフ圧力Ｐ３を算出し、平均のカフ圧力Ｐ３をデータベース１１９に格納する。
【００１１】
判定ポイント２１２において、マイクロプロセッサ１１５は、平均のカフ圧力Ｐ３から平均のカフ圧力Ｐ２を引いたもの（Ｐ３−Ｐ２）が境界値（ＢＶ：Boundary Value）より小さいかどうか、または平均のカフ圧力Ｐ２から平均のカフ圧力Ｐ３を引いたもの（Ｐ３−Ｐ２）が境界値より大きいかどうかを判定する。
【００１２】
判定ポイント２１２でＰ３−Ｐ２の値が境界値（ＢＶ）より小さい場合、マイクロプロセッサ１１５は、血管カフ１０８が大型の血管カフであると判定し、ブロック２１４においてその判定をデータベース１１９に格納し、Ｐ３−Ｐ２の値が境界値（ＢＶ）以上である場合、マイクロプロセッサ１１５は、血管カフ１０８が小型の血管カフであると判定し、ブロック２１６においてその判定をデータベース１１９に格納する。判定ポイント２０２でカフ圧力Ｐ１が所定の基準圧力値７０ｍｍＨｇ以上である場合、マイクロプロセッサ１１５は、ブロック２１８において、データベース１１９に格納された血管カフ１０８に対するカフの大きさの以前の判定を用いることを決定して、血管カフ１０８が大型の血管カフか小型の血管カフか判定する。
【００１３】
図８は、血管カフ１０８が小型の血管カフか大型の血管カフかを判定する、図７に記載した方法に用いられる境界値の決定を説明するグラフを示している。一態様において、グラフは、血管カフ１０８に加えられる様々な空気圧で小型の血管カフ（実線で示す）および大型の血管カフ（点線で示す）に対する境界値をプロットしたものである。特に、小型の血管カフと大型の血管カフの両方に対する境界値の計算結果（たとえば勾配値（Ｐ３−Ｐ２））が、膨張の範囲全体にわたってプロットされる。
【００１４】
図８に示すように、実施した一連の試験において、０ｍｍＨｇ〜２００ｍｍＨｇの間の空気圧を範囲とするＸ軸に沿った複数の様々な空気圧で勾配値（Ｐ３−Ｐ２）を収集する、大型の血管カフを用いた膨張の試験によって、Ｙ軸に沿った境界値（ＢＶ）を選択した。たとえば、複数の記録された空気圧に基づいて最大の記録値が５である場合には、最大の記録値に整数２を加えてＢＶを算出し、この場合、ＢＶは７になる。
【００１５】
図８にさらに示すように、実施した一連の試験において、複数の様々な空気圧で勾配値（Ｐ３−Ｐ２）を収集する、小型の血管カフを用いた膨張の試験によってＸ軸に沿ったカフ圧力Ｐ１を選択したが、Ｐ１は、（Ｘ軸に沿って動かして）勾配値がＢＶ値を横切る位置の後ろに、間違いなく適合するように設定した。前述のことに基づき、いくつかの実施形態では、７未満の任意の勾配値および９０ｍｍＨｇ未満の空気圧が、大型の血管カフとしてデータベース１１９に格納され、７を超える任意の勾配値および９０ｍｍＨｇ未満が、小型の血管カフとしてデータベース１１９に格納される。さらに、９０ｍｍＨｇの空気圧を超える任意の勾配値の場合、マイクロプロセッサ１１５は、データベース１１９中の血管カフ１０８（大型の血管カフまたは小型の血管カフ）について以前に格納された判定を検索し、血圧計装置１０２に接続された血管カフ１０８の大きさを判定する。
【００１６】
血管カフ１０８の大きさを判定した後、マイクロプロセッサ１１５は、回転ポンプ１１２へ供給される出力の量を制御することによって、回転ポンプ１１２へ供給される出力を調整する。たとえば、マイクロプロセッサ１１５によって大型の血管カフ１０８が検知された場合、回転ポンプ１１２は１００％の出力レベルで動作し、一方、小型の血管カフ１０８が用いられるときには、１００％未満の他の出力レベルが企図されるが、マイクロプロセッサ１１５によって小型の血管カフ１０８が判定された場合、回転ポンプ１１２は約３５％の出力レベルで動作する。この動作方法により、血圧計装置１０２が、血圧計装置１０２の単回の作動（single actuation）によって、血管カフ１０８の大きさに基づく妥当な膨張速度で血管カフ１０８を膨張させることが可能になる。
【００１７】
いくつかの実施形態では、血管カフ１０８が過度に膨張して患者が負傷する恐れをなくすために、血圧計装置１０２は、圧力センサ１２３によって検知された圧力が所定の圧力値、たとえば２７０ｍｍＨｇを超えた場合に血管カフ１０８の膨張を自動的に終わらせる安全機能を含むことができる。
【００１８】
図１および５に示すように、いくつかの実施形態において、血圧計装置１０２は、中空管１０６（図１）と係合するように構成された空気出口１１１を含み、中空管１０６は、回転ポンプ１１２による血管カフ１０８の膨張を可能にするように血管カフ１０８に接続される。ポンプ１１２の動作中、ポンプ１１２によって生成される空気の流れは中空管１０６を通って流れ、血管カフ１０８を膨張させるが、血管カフ１０８は、以下にさらに詳しく論じるように、個人の血圧を監視するとき、個人の腕（または個人の身体に沿った他の場所）に巻き付けるように構成される。
【００１９】
図３〜６を参照すると、回転ポンプ１１２の動作をオンオフするために、血圧計装置１０２は、モータ１１４の動作を作動および終了する膨張ボタン（inflationary button）１２２をさらに含むことができる。動作時に、専門家は膨張ボタン１２２を押し下げ、押し下げた状態に維持して膨張ボタン１２２を「オン」の位置に保ち、それにより回転ポンプ１１２を作動させる。専門家が膨張ボタン１２２を放すと、膨張ボタン１２２は「オフ」の位置に配置され、専門家がもう一度膨張ボタン１２２を押し下げるまで、回転ポンプ１１２の動作が止まる。
【００２０】
さらに示すように、モータ１１４は、回転ポンプ１１２を動かすためにモータ１１４に出力を与える１つまたは複数のバッテリ１１８を含むことができる。血圧計装置１０２は、回転ポンプ１１２、モータ１１４、バッテリ１１８、圧力センサ１２３、Ｔ字コネクタ１２０およびプリント回路基板１２７を入れるように構成された内部チャンバ１２５を含むことができる。いくつかの実施形態において、血圧計装置１０２は、電源アダプタ１３０（図５）によって電気取出口（図示せず）に直接接続することができる。図５に示すように、血圧計装置１０２は、１つまたは複数のバッテリ１１８を充電するために用いられるＡＣアダプタ１３０を受け入れる、ＤＣジャック１３２を含むことができる。
【００２１】
さらに示すように、血圧計装置１０２は、ダイヤル、または血管カフ１０８内の空気圧の視覚的な表示を可能にするデジタル表示器を含むゲージ１０４を含むことができる。ゲージ１０４は、作動されると、ポンプ１１２、ゲージ１０４および血管カフ１０８の間の選択的な流体流れ連通（fluid flow communication）（流体が流れるよう連通した構成）をもたらすバルブ１１６に接続することができる。
【００２２】
図３および５に示すように、血圧計装置１０２は、空気圧解放トリガ１２４を含むことができ、空気圧解放トリガ１２４は、血管カフ１０８から空気圧を解放することによって作動されると、血管カフ１０８の収縮を可能にする。膨張ボタン１２２を放すことによって血管カフ１０８の膨張を終わらせた後、次いで専門家は、空気圧が大気に放出されるように、空気圧解放トリガ１２４を作動させることによって血管カフ１０８から空気圧を解放することができる。いくつかの実施形態において、空気圧解放トリガ１２４は、血圧計装置１０２から空気圧を解放するためのトリガ機構、ボタン機構、スイッチ機構またはダイヤル機構とすることができる。
【００２３】
半自動式血圧計１００の１つの使用方法において、血管カフ１０８は、個人の腕または個人の身体に沿った他の場所にぴったりと巻き付けられる。たとえば、血管カフ１０８は、血管カフ１０８の下側部分が、個人の肘の内側の屈曲部より約１インチ上に、かつ上腕動脈の上に位置するように位置決めすることができる。これまでに論じたように、ゲージ１０４が約２００ｍｍＨｇの圧力を示すまで血管カフ１０８を膨張させた後、次いで専門家は、聴診器（図示せず）の一端を個人の上腕の脈拍の上に置き、空気圧解放トリガ１２４を作動させて血管カフ１０８の収縮を開始する。空気圧が降下して血管カフ１０８が収縮すると、専門家は、聴診器を通して個人の心拍動または脈拍の最初の可聴音に注意深く耳を傾ける。聴診器を通して聞こえた心拍動または脈拍の最初の可聴音が、個人の収縮期血圧を示す。血管カフ１０８に２００ｍｍＨｇの圧力を加えても心拍動の可聴音をなくすには不十分であることが分かった場合、または専門家が最初の可聴音と区別する別の試みを行うことを選択した場合、専門家は、まず最初に圧力をゼロまで下げずに、血管カフ１０８を再膨張させることを選ぶことがある。収縮期血圧が満足のいくように確定された後、空気圧解放トリガ１２４の作動によって血管カフ１０８から残りの空気圧が解放される。いくつかの実施形態では、心拍動または脈拍に耳を傾けるために、聴診器ではなくドップラーデバイスを用いることができる。
【００２４】
前述のことから、特定の実施形態を図示および記載してきたが、当業者には理解されるように、本発明の趣旨および範囲から逸脱することなくそれらに様々な修正を加えることが可能であることを理解すべきである。そうした変更および修正は、添付の特許請求の範囲に定められる本発明の範囲および教示の範囲内である。
【符号の説明】
【００２５】
１００  半自動式血圧計システム、半自動式血圧計
１０２  血圧計装置
１０６  中空管
１０４  インジケータゲージ、ゲージ
１０８  血管カフ
１１１  空気出口
１１２  回転ポンプ
１１４  モータ
１１５  マイクロプロセッサ
１１６  バルブ
１１８  バッテリ
１１９  データベース
１２０  Ｔ字コネクタ
１２２  膨張ボタン
１２３  圧力センサ
１２４  空気圧解放トリガ
１２５  内部チャンバ
１２７  プリント回路基板
１３０  ＡＣアダプタ、電源アダプタ
１３２  ＤＣジャック
【図１】
2018015506.tif 000003
【図２】
2018015506.tif 000004
【図３】
2018015506.tif 000005
【図４】
2018015506.tif 000006
【図５】
2018015506.tif 000007
【図６】
2018015506.tif 000008
【図７】
2018015506.tif 000009
【図８】
2018015506.tif 000010
【外国語明細書】
2018015506000001.pdf